(57)【要約】【課題】金銭載置面上の硬貨を硬貨入出金装置の硬貨受入口へ入れる作業をオペレータが容易に行うことができる商品販売データ処理装置を提供する。【解決手段】商品販売データ処理装置は、商品の販売登録処理に用いるキーを配設するキーボードと、前記販売登録処理に応じて硬貨を入出金する硬貨入出金装置の硬貨受入口に対して直線的に連接するとともに前記キーボードに対して当該装置の幅方向に並ぶ位置に設けられ、前記販売登録処理に係る金銭を一時的に載せるとともに前記硬貨受入口に硬貨を投入可能にした金銭載置面と、を備える。【選択図】図２
2015156138.tif 000002
【特許請求の範囲】
【請求項１】
商品の販売登録処理に用いるキーを配設するキーボードと、
前記販売登録処理に応じて硬貨を入出金する硬貨入出金装置の硬貨受入口に対して直線的に連接するとともに前記キーボードに対して当該装置の幅方向に並ぶ位置に設けられ、前記販売登録処理に係る金銭を一時的に載せるとともに前記硬貨受入口に硬貨を投入可能にした金銭載置面と、
を備えることを特徴とする商品販売データ処理装置。
【請求項２】
商品の販売登録処理に用いるキーを配設するキーボードと、
硬貨を受け入れる硬貨受入口および硬貨を払い出す硬貨払出口を有して、前記販売登録処理に応じて硬貨を入出金する硬貨入出金装置と、
前記硬貨受入口に対して直線的に連接するとともに前記キーボードに対して当該装置の幅方向に並ぶ位置に設けられ、前記販売登録処理に係る金銭を一時的に載せるとともに前記硬貨受入口に硬貨を投入可能にした金銭載置面と、
を備えることを特徴とする商品販売データ処理装置。
【請求項３】
前記金銭載置面に対して前記硬貨受入口とは反対側に直線的に連接して設けられ、前記販売登録処理に用いる商品コードを含むコードシンボルを読み取るスキャナを載置するスキャナ台を更に備える、
ことを特徴とする請求項１または２記載の商品販売データ処理装置。
【請求項４】
前記金銭載置面の両側縁部に沿って前記硬貨受入口まで設けられ、当該金銭載置面よりも上方に位置して当該金銭載置面上に載置された硬貨の側部を支持する案内壁を備える、
ことを特徴とする請求項１ないし３の何れか一記載の商品販売データ処理装置。
【請求項５】
前記案内壁は、前記金銭載置面と連接する辺を除いた前記硬貨受入口の周囲の辺にも延出して設けられる、
ことを特徴とする請求項４記載の商品販売データ処理装置。
【発明の詳細な説明】
【技術分野】
【０００１】
本発明の実施形態は、商品販売データ処理装置に関する。
【背景技術】
【０００２】
従来、店舗における会計業務を支援する機器として、商品販売データ処理装置であるＰＯＳ端末とこのＰＯＳ端末に接続された自動釣銭機とがある。
【０００３】
ＰＯＳ端末には、客から受け取った金銭を一時的に載せる金銭載置面が設けられているものがある。このＰＯＳ端末を操作する店員は、客との取引が終了するまでの間、客から受け取った金銭を金銭載置面に載せておく。そして、釣銭が有る場合には、店員は、所定の操作によって自動釣銭機から払い出された釣銭を客に渡す。そして、店員は、客との取引が終了した後に、金銭載置面上の金銭を手に取り、手に取った硬貨を自動釣銭機の受入口に投入する。
【０００４】
このように、従来のＰＯＳ端末では、店員は、金銭載置面上の金銭を手に取り、手に取った金銭を硬貨受入口まで運ぶ必要がある。しかしながら、金銭載置面に置かれた硬貨は取り難いため、金銭載置面から自動釣銭機の硬貨受入口へ硬貨を入れる店員の作業に手間がかかるという問題がある。
【発明の概要】
【発明が解決しようとする課題】
【０００５】
本発明が解決しようとする課題は、金銭載置面上の硬貨を硬貨入出金装置の硬貨受入口へ入れる作業をオペレータが容易に行うことができる商品販売データ処理装置を提供することである。
【課題を解決するための手段】
【０００６】
実施形態の商品販売データ処理装置は、商品の販売登録処理に用いるキーを配設するキーボードと、前記販売登録処理に応じて硬貨を入出金する硬貨入出金装置の硬貨受入口に対して直線的に連接するとともに前記キーボードに対して当該装置の幅方向に並ぶ位置に設けられ、前記販売登録処理に係る金銭を一時的に載せるとともに前記硬貨受入口に硬貨を投入可能にした金銭載置面と、を備える。
【０００７】
実施形態の商品販売データ処理装置は、商品の販売登録処理に用いるキーを配設するキーボードと、硬貨を受け入れる硬貨受入口および硬貨を払い出す硬貨払出口を有して、前記販売登録処理に応じて硬貨を入出金する硬貨入出金装置と、前記硬貨受入口に対して直線的に連接するとともに前記キーボードに対して当該装置の幅方向に並ぶ位置に設けられ、前記販売登録処理に係る金銭を一時的に載せるとともに前記硬貨受入口に硬貨を投入可能にした金銭載置面と、を備える。
【図面の簡単な説明】
【０００８】
【図１】図１は、実施形態に係るＰＯＳ端末をオペレータ側から見た斜視図である。
【図２】図２は、ＰＯＳ端末の金銭載置部付近を示す斜視図である。
【発明を実施するための形態】
【０００９】
本実施形態について図を参照して説明する。本実施形態は、商品販売データ処理装置として会計処理場に設置されるＰＯＳ（Point  Of  Sale）端末１を適用した例である。実施形態のＰＯＳ端末１は、コンビニエンスストア，薬局，書店などの対面カウンタの店舗で用いられるものであって、キャッシャと称されるオペレータが操作してチェックアウト業務を行う端末である。
【００１０】
図１は、実施形態に係るＰＯＳ端末１をオペレータ側から見た斜視図である。図１に示すように、ＰＯＳ端末１は、カウンタ１０上に設置される。
【００１１】
カウンタ１０は、買物籠や商品などの物品が載置されるカウンタ面を構成する天板１１と、天板１１の一部を切り欠いた設置部１２とを備える。カウンタ１０は、オペレータ側に、複数の棚板１４，１５を備えている。設置部１２において最上段に位置する棚板１４には、上部を天板１１から露出した状態でＰＯＳ端末１が設置される。また、天板１１の下方において最上段に位置する棚板１４には、ポイントカードなどに対する情報の読み取りや書き込みを行うカードリーダライタ３０が設置される。
【００１２】
次に、ＰＯＳ端末１について詳述する。ＰＯＳ端末１は、図１に示すように、制御部（図示せず）を内蔵する本体部４０に、キーボード５０とオペレータ側ディスプレイ６０と客側ディスプレイ７０とプリンタ８０と非接触カードリーダライタ１００と自動釣銭機１１０とを配設している。また、ＰＯＳ端末１は、図１に示すように、スキャナ９０も備えている。
【００１３】
本体部４０は、外装カバー４２に覆われている。外装カバー４２は、カウンタ１０の設置部１２にＰＯＳ端末１を設置した状態で天板１１から最も離れた位置となる頂点部４１を有し、頂点部４１から前後方向に対して傾斜するラウンド形状である。外装カバー４２の頂点部４１からオペレータ側には、オペレータ側ディスプレイ６０とキーボード５０とが頂点部４１からオペレータ側に向かって順に配置される。一方、外装カバー４２の頂点部４１から客側には、客側ディスプレイ７０と非接触カードリーダライタ１００とが外装カバー４２の幅方向に並んで配置される。すなわち、外装カバー４２は、オペレータ側ディスプレイ６０の上辺と客側ディスプレイ７０の上辺との間隙を頂点部４１として突出させ、頂点部４１を上端として両端がオペレータ側または客側に向かって曲線で下がる形状となっている。
【００１４】
さらに、外装カバー４２の下方にはプリンタ８０と自動釣銭機１１０とが配置されている。プリンタ８０の本体は、外装カバー４２の内部に収納されており、レシート排出口８１を外装カバー４２の外部に露出させている。また、自動釣銭機１１０の本体も、外装カバー４２の内部に収納されており、後述する硬貨受入口１３１と硬貨払出口１３２と紙幣入出口１２１とを外装カバー４２の外部に露出させている。
【００１５】
加えて、外装カバー４２は、オペレータ側ディスプレイ６０に対して外装カバー４２の幅方向に並ぶ位置に、スキャナ９０を載置するスキャナ台９１を備えている。また、外装カバー４２は、キーボード５０に対して外装カバー４２の幅方向に並ぶ位置であってスキャナ台９１に対してオペレータ側に向けて連接する位置に、金銭載置部２０を備えている。そして、金銭載置部２０は、販売登録処理に応じて硬貨を入出金する硬貨入出金装置１３０の硬貨受入口１３１に対して直線的に連接されており、硬貨受入口１３１への硬貨投入を可能にしている。
【００１６】
なお、スキャナ台９１と金銭載置部２０とが連接して設けられていることから、スキャナ台９１上にスキャナ９０を載置しない状態では、スキャナ台９１も金銭を載置する場所として利用することができる。すなわち、スキャナ台９１は、紙幣が多い場合などにおいては、スキャナ９０を載置せずに金銭を載置する場所として一時的に利用される。
【００１７】
図１に示すように、ＰＯＳ端末１の外装カバー４２は、ラウンド形状となっており、凹凸部分が少ないことから、煩雑なイメージを与えない構造となっている。また、ＰＯＳ端末１の外装カバー４２は、凹凸部分が少ないことから、容易に清掃することが可能となっている。さらに、ＰＯＳ端末１の外装カバー４２をラウンド形状としたことにより、金銭載置部２０以外の部分に商品や金銭が置かれると滑り落ちてしまうため、金銭載置部２０以外の部分に商品や金銭が置かれることを防止している。
【００１８】
オペレータ側ディスプレイ６０は、オペレータ用に画像を表示するディスプレイであり、商品販売登録処理に関する情報を表示する。客側ディスプレイ７０は、客用に画像を表示するディスプレイであり、商品販売に関する情報を表示する。商品販売に関する情報とは、例えば、キャンペーン情報、割引情報、セール情報、メッセージ情報などである。また、オペレータ側ディスプレイ６０と客側ディスプレイ７０とは、タッチパネルを備えてもよい。
【００１９】
オペレータ側ディスプレイ６０は、オペレータ用の画像が正立するように、オペレータ側に傾けられて配設される。客側ディスプレイ７０は、客用の画像が正立するように、客側に傾けられて配設される。このように、オペレータ側ディスプレイ６０および客側ディスプレイ７０は、傾けられて配設されることにより視認性を向上させている。
【００２０】
なお、天板１１から頂点部４１までの高さは、オペレータ側ディスプレイ６０の傾き角度と客側ディスプレイ７０の傾きの角度に依存するが、オペレータおよび客がＰＯＳ端末１上で商品や金銭を手渡しすることが可能となる高さに全高が抑えられている。
【００２１】
そして、オペレータ側ディスプレイ６０の上辺と客側ディスプレイ７０の上辺との間隙は、硬貨の直径以下となっており、硬貨や商品を置くことが困難となっている。また、間隙は、表面の形状によって硬貨や、商品を置くことを困難としてもよい。本実施形態では、間隙の表面が曲面で構成されている。
【００２２】
キーボード５０は、オペレータ側ディスプレイ６０の下方に隣接して配置される。キーボード５０は、入力操作に用いられる各種キーを備える。例えば、数字キーや締めキーなどである。
【００２３】
プリンタ８０は、レシートや領収書の印字に用いられるレシートプリンタである。スキャナ９０は、商品にコードシンボルの形態で付された商品コードなどの商品情報を光学的に読み取る可動式のハンディスキャナである。非接触カードリーダライタ１００は、非接触ＩＣカードと無線通信を確立し、非接触ＩＣカードに対して情報を読み書きする。非接触ＩＣカードは、一例として現金と等価な価値を有する電子マネーを記憶保存することが可能である。
【００２４】
自動釣銭機１１０は、硬貨Ｃ（図２参照）を入出金する硬貨入出金装置１３０と、紙幣（図示せず）を入出金する紙幣入出金装置１２０と、を備えている。
【００２５】
硬貨入出金装置１３０は、上方から落下する硬貨Ｃを受け入れる硬貨受入口１３１と、硬貨Ｃを払い出す硬貨払出口１３２とを有する。硬貨受入口１３１と硬貨払出口１３２とは、外装カバー４２の外部に露出されている。硬貨受入口１３１は、上方に向けて開口している。
【００２６】
硬貨入出金装置１３０は、硬貨受入口１３１で受け入れた硬貨Ｃを内部で金種毎に分別収納する。そして、硬貨入出金装置１３０は、収納した硬貨Ｃを、釣銭データに基づいて、釣銭として硬貨払出口１３２に払い出す。
【００２７】
紙幣入出金装置１２０は、紙幣入出口１２１を有する。紙幣入出口１２１は、外装カバー４２の外部に露出されている。紙幣入出金装置１２０は、紙幣入出口１２１で受け入れた紙幣を、内部で金種毎に分別収納する。そして、紙幣入出金装置１２０は、内部に収納した紙幣を、釣銭データに基づいて、釣銭として紙幣入出口１２１に払い出す。
【００２８】
なお、硬貨入出金装置１３０の硬貨払出口１３２は、自動釣銭機１１０の左右方向（幅方向）で、硬貨受入口１３１と紙幣入出口１２１との間に配置されている。
【００２９】
制御部は、特に図示しないが、ＣＰＵ（Central  Processing  Unit）、ＲＯＭ（Read  Only  Memory）、ＲＡＭ（Random  Access  Memory）、計時部を有し、これらがバスラインを介して接続されて構成されている。ＣＰＵには、前述したカードリーダライタ３０，キーボード５０，オペレータ側ディスプレイ６０，客側ディスプレイ７０，プリンタ８０，スキャナ９０，非接触カードリーダライタ１００，自動釣銭機１１０などがバスラインを介して接続されている。また、ＣＰＵには、ＨＤＤ（Hard  Disk  Drive）及び通信インターフェースがバスラインを介して接続されている。ＨＤＤは、ＣＰＵを動作させるプログラムの他、商品コード毎に商品名や単価などの商品情報を記憶する商品マスタファイル、販売データを記憶する売上ファイル等を格納している。
【００３０】
制御部（ＣＰＵ）は、プログラムに従って商品の販売登録処理を行う。例えば、制御部は、スキャナ９０が読み取った商品コードの入力やキーボード５０からの販売量の入力を受け付け、受け付けた商品コードに対応する商品情報を商品マスタファイルから読み出す。次に、制御部は、商品マスタファイルから読み出した商品情報及び商品の販売量に基づいて当該商品の販売記録を示す販売データを生成してこれをＲＡＭやＨＤＤなどの記憶部に記憶することにより、当該商品の販売登録を行う。そして、制御部は、キーボード５０の締めキーが操作されると、釣銭に関する釣銭データを自動釣銭機１１０に送信して釣銭を払い出させるとともに、販売登録した商品のレシート情報を作成し、このレシート情報に基づくレシートをプリンタ８０に印字発行させる。
【００３１】
次に、金銭載置部２０について詳細に説明する。ここで、図２はＰＯＳ端末１の金銭載置部２０付近を示す斜視図である。図２に示すように、金銭載置部２０は、硬貨Ｃを載せる平面形状の金銭載置面２１と、案内壁２２とを備えている。
【００３２】
金銭載置面２１には、載置された硬貨Ｃによって外装カバー４２が汚れたり傷ついたりするのを防止するために、金属板２１ａが設置されている。なお、金銭載置部２０の金銭載置面２１は、外装カバー４２が頂点部４１から前後方向に対して傾斜するラウンド形状であることから、硬貨受入口１３１に向かうにつれて高さが低くなる傾斜面となっている。
【００３３】
案内壁２２は、金銭載置面２１の両側縁部に沿って硬貨受入口１３１まで設けられ、当該金銭載置面２１よりも上方に位置して当該金銭載置面２１上に載置された硬貨Ｃの側部を支持する。また、案内壁２２は、硬貨受入口１３１の金銭載置面２１と連接する辺を除いた周囲の辺にも延出して設けられる。このような案内壁２２は、外装カバー４２の一部として形成されている。
【００３４】
オペレータは、硬貨Ｃを案内壁２２に当接させた状態で案内壁２２に沿って直線的に移動させることで、案内壁２２が硬貨Ｃを硬貨受入口１３１へ案内する。また、案内壁２２は、硬貨Ｃの側部を支持することで、金銭載置面２１から硬貨Ｃが落下するのを阻止する。
【００３５】
以上の構成のＰＯＳ端末１を用いての会計業務の際、オペレータは、ＰＯＳ端末１の前方に立ってＰＯＳ端末１を操作する。そして、オペレータは、客から受け取った金銭のうち硬貨Ｃを金銭載置面２１に載置する。そして、ＰＯＳ端末１による商品の販売登録処理が終了しレシートが発行されて会計が終了した後に、オペレータは、金銭載置面２１上の硬貨Ｃを硬貨入出金装置１３０の硬貨受入口１３１に入れる。オペレータは、硬貨Ｃを硬貨受入口１３１に入れる際には、金銭載置面２１上の一部の硬貨Ｃを案内壁２２に当接させながら硬貨受入口１３１まで直線的に移動させ、硬貨Ｃを落下させる。
【００３６】
以上説明したように、本実施形態では、金銭載置面２１が販売登録処理に応じて硬貨を入出金する硬貨入出金装置１３０の硬貨受入口１３１に対して直線的に連接するとともにキーボード５０に対してＰＯＳ端末１の幅方向に並ぶ位置に設けられていることにより、オペレータは、キーボード５０に対する操作姿勢と同じ姿勢を保ったままで金銭載置面２１上の硬貨Ｃの硬貨受入口１３１までの移動を直線的にすることができる。すなわち、本実施形態によれば、オペレータが金銭載置面２１上の硬貨Ｃを手に取って移動させる必要はなく、金銭載置面２１上の硬貨Ｃを硬貨入出金装置１３０の硬貨受入口１３１へ入れる作業をオペレータが容易に行うことができる。
【００３７】
また、本実施形態では、金銭載置部２０は、金銭載置面２１の両側縁部に沿って硬貨受入口１３１まで設けられ、当該金銭載置面２１よりも上方に位置して当該金銭載置面２１上に載置された硬貨Ｃの側部を支持する案内壁２２を有しているので、オペレータは、金銭載置面２１上の硬貨Ｃを案内壁２２の案内に従って移動させることで、硬貨Ｃを硬貨受入口１３１まで容易に移動させることができる。
【００３８】
また、本実施形態では、金銭載置部２０の金銭載置面２１は、外装カバー４２が頂点部４１から前後方向に対して傾斜するラウンド形状であることから、硬貨受入口１３１に向かうにつれて高さが低くなる傾斜面となっているので、硬貨Ｃを硬貨受入口１３１へ入れる作業をオペレータがより容易に行うことができる。
【００３９】
また、本実施形態では、金銭載置面２１が硬貨入出金装置１３０の硬貨受入口１３１に対して直線的に連接する位置に設けられているので、金銭載置面２１から落下した硬貨Ｃが、確実に硬貨受入口１３１に落下するので、金銭載置面２１と硬貨受入口１３１を別部材で接続する必要が無く、構造の簡素化を図ることができる。
【００４０】
また、本実施形態では、案内壁２２は、硬貨受入口１３１の金銭載置面２１と連接する辺を除く周囲にも延出して設けられるので、金銭載置面２１から硬貨Ｃが勢いよく投入された場合であっても、硬貨受入口１３１から硬貨Ｃが落下するのを阻止することができる。
【００４１】
なお、本実施形態では、自動釣銭機１１０をＰＯＳ端末１と一体に設けたが、これに限るものではなく、硬貨受入口１３１が金銭載置面２１に対して直線的に連接されることを条件として、自動釣銭機１１０とＰＯＳ端末１とを別体として設けるようにしても良い。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１        商品販売データ処理装置
２１      金銭載置面
２２      案内壁
５０      キーボード
９０      スキャナ
９１      スキャナ台
１３０    硬貨入出金装置
１３１    硬貨受入口
【先行技術文献】
【特許文献】
【００４４】
【特許文献１】特開２００９−１４００１３号公報
【図１】
2015156138.tif 000003
【図２】
2015156138.tif 000004